(57)【要約】【課題】カップを備えた衣料に対し、カップワイヤーを備えさせるにあたり、端部キャップがそれを邪魔することがなく、しかも、こうした衣料装着者に対して端部キャップが格別の違和感を感じさせることがないようにする。【解決手段】スリーブ部分１０と中実の末端部分１１とを有している。スリーブ部分１０は、解放された一端から、スリーブ部分１０における表面１２と裏面１３とを離れ出させる向きに弾性変形しながら、ワイヤー端部２０を受け入れこのワイヤー端部２０にはめ付くようになっている。末端部分１１は、スリーブ部分１０との連接側から離れるに従ってこの末端部分１１の表面１２と裏面１３とを次第に狭めると共に、その先端縁１１ａを弧状縁としている。末端部分１１の表面１２側と裏面１３側とにはそれぞれ、スリーブ部分１０との連接側から離れるに従って溝幅を次第に狭くする溝状凹所１１ｂが形成されている。【選択図】図２
2005240244.tif 000002
【特許請求の範囲】
【請求項１】
ブラジャーなどのカップを備えた衣料におけるカップワイヤーのワイヤー端部にはめ付けられる可撓性を備えた端部キャップであって、
一端を解放させた細長いスリーブ部分と、このスリーブ部分の他端から先に突き出す中実の末端部分とを有していると共に、
幅広の表面と幅広の裏面とを有する幅方向に沿った断面形状を扁平形状とするように構成されており、
スリーブ部分は、解放された一端から、このスリーブ部分における表面と裏面とを離れ出させる向きに弾性変形しながら、ワイヤー端部を受け入れこのワイヤー端部にはめ付くようになっており、
末端部分は、スリーブ部分との連接側から離れるに従ってこの末端部分の表面と裏面とを次第に狭める先細り状に形成されると共に、その先端縁を弧状縁としており、
さらに、この末端部分の表面側と裏面側とにはそれぞれ、スリーブ部分との連接側から離れるに従って溝幅を次第に狭くする溝状凹所が形成されていることを特徴とするカップワイヤーの端部キャップ。
【請求項２】
請求項１記載の端部キャップをワイヤー端部にはめ付けたカップワイヤーを、カップの下側隆起基部に沿って形成されたカップワイヤーの筒状挿入部に対し、端部キャップの幅広の表面をカップの前方に向けた状態で挿通するようにして構成されていることを特徴とするカップを備えた衣料。
【発明の詳細な説明】
【技術分野】
【０００１】
この発明は、ブラジャーなどのカップを備えた衣料におけるカップワイヤーのワイヤー端部にはめ付けられて用いられる端部キャップの改良、および、この端部キャップをワイヤー端部にはめ付けられたカップワイヤーを備えて構成される衣料に関する。
【背景技術】
【０００２】
先端部に複数の周溝を備えた合成樹脂製のカップワイヤーキャップがある。（特許文献１参照）しかるに、例えばブラジャーにあってはカップの下側隆起基部に沿って形成された筒状挿入部に対しキャップを先にしてカップワイヤーを入れ込ませることになるが、このように構成されたキャップの先端部は不規則に変形するため、この筒状挿入部の内壁に先端部が引っかかり易く、こうした入れ込み作業に難を生じさせることが少なくなかった。かかるキャップの先端部の剛性を高くすればこうした不具合は減少されるが、そうしてしまうとブラジャーなどの装着者にキャップに起因した違和感を感じさせてしまう。
【特許文献１】実用新案登録第３０９２４７２号公報
【発明の開示】
【発明が解決しようとする課題】
【０００３】
この発明が解決しようとする主たる問題点は、端部キャップにあっては、カップを備えた衣料に対し、カップワイヤーを備えさせるにあたり、端部キャップがそれを邪魔することがなく、しかも、こうした衣料装着者に対して端部キャップが格別の違和感を感じさせることがないようにする点にある。
【０００４】
また、カップを備えた衣料にあっては、カップワイヤーを備え付けやすく、かつ、備え付けられたカップワイヤーが衣料装着者に対して格別の違和感を感じさせることがないようにする点にある。
【課題を解決するための手段】
【０００５】
前記問題点を解決するために、この発明にあっては、カップワイヤーの端部キャップが以下の（１）〜（６）の構成を備えたものとした。
（１）ブラジャーなどのカップを備えた衣料におけるカップワイヤーのワイヤー端部にはめ付けられる可撓性を備えた端部キャップであって、
（２）一端を解放させた細長いスリーブ部分と、このスリーブ部分の他端から先に突き出す中実の末端部分とを有していると共に、
（３）幅広の表面と幅広の裏面とを有する幅方向に沿った断面形状を扁平形状とするように構成されており、
（４）スリーブ部分は、解放された一端から、このスリーブ部分における表面と裏面とを離れ出させる向きに弾性変形しながら、ワイヤー端部を受け入れこのワイヤー端部にはめ付くようになっており、
（５）末端部分は、スリーブ部分との連接側から離れるに従ってこの末端部分の表面と裏面とを次第に狭める先細り状に形成されると共に、その先端縁を弧状縁としており、
（６）さらに、この末端部分の表面側と裏面側とにはそれぞれ、スリーブ部分との連接側から離れるに従って溝幅を次第に狭くする溝状凹所が形成されている。
【０００６】
かかる端部キャップは、先ず、そのスリーブ部分の解放された一端側からこのスリーブ部分にワイヤー端部を入れ込ませることにより、このワイヤー端部にワンタッチではめ付けることができる。
【０００７】
端部キャップは可撓性を有し、かつ、スリーブ部分の先に中実の末端部分を有することから、衣料装着者にカップワイヤーのワイヤー端部が身体に突き当てられるような感触を与えないようにすることができる。
【０００８】
また、端部キャップは、幅広の表面と幅広の裏面とを有し、末端部分はこの末端部分に形成された溝状凹所によってこの幅広の両面のいずれかの側を屈曲内側としては撓み易いが、この幅広の両面間にある厚さとなる両側面のいずれかの側を屈曲内側としては撓み難い。衣料に予め形成されたカップワイヤーの筒状挿入部にカップワイヤーを入れ込ませる場合には、端部キャップを先にしてこの挿入がなされることとなるが、端部キャップの末端部分はこのように撓みやすい方向と撓みがたい方向とをもっていることから、この挿入にあたり末端部分が不規則に撓んでこの挿入の妨げとなる事態を生じさせることがない。すなわち、カップの前方に端部キャップの幅広の表面が向けられた状態で前記筒状挿入部にカップワイヤーを入れ込ませるようにすれば、こうした筒状挿入部の上下内壁に末端部分が変形して突き当たることがなく、この挿入作業を円滑に行うことができる。
【０００９】
また、末端部分は先細りとなっており、かつ、その先端縁は弧状縁となっていることから、この挿入にあたっての前記突き当たりは一層少なく、さらに、この末端部分が衣料装着者に違和感を与えることもない。
【００１０】
さらに、カップの前方に端部キャップの幅広の表面が向けられた状態で前記筒状挿入部にカップワイヤーを入れ込ませるようにしておけば、衣料装着者の身体に端部キャップが違和感を与えるといった事態をより効果的に減少させることが可能となる。
【００１１】
また、前記問題点を解決するために、この発明にあっては、カップを備えた衣料を、前記端部キャップをワイヤー端部にはめ付けたカップワイヤーを、カップの下側隆起基部に沿って形成されたカップワイヤーの筒状挿入部に対し、端部キャップの幅広の表面をカップの前方に向けた状態で挿通するようにして構成されているものとした。
【００１２】
かかる衣料にあっては、前記カップワイヤーにはめ付けられた端部キャップが可撓性を有し、かつ、スリーブ部分の先に中実の末端部分を有することから、衣料装着者にカップワイヤーのワイヤー端部が身体に突き当てられるような感触を与えない。
【００１３】
また、端部キャップは、幅広の表面と幅広の裏面とを有し、末端部分はこの末端部分に形成された溝状凹所によってこの幅広の両面のいずれかの側を屈曲内側としては撓み易いが、この幅広の両面間にある厚さとなる両側面のいずれかの側を屈曲内側としては撓み難い。衣料に予め形成されたカップワイヤーの筒状挿入部にカップワイヤーを入れ込ませる場合には、端部キャップを先にしてこの挿入がなされることとなるが、端部キャップの末端部分はこのように撓みやすい方向と撓みがたい方向とをもっていることから、この挿入にあたり末端部分が不規則に撓んでこの挿入の妨げとなる事態を生じさせることがない。すなわち、カップワイヤーは、カップの前方に端部キャップの幅広の表面が向けられた状態で前記筒状挿入部に入れ込まれることから、こうした筒状挿入部の上下内壁に末端部分が変形して突き当たることがなく、この挿入作業を円滑に行なえる。
【００１４】
また、端部カバーの末端部分は先細りとなっており、かつ、その先端縁は弧状縁となっていることから、この挿入にあたっての前記突き当たりは一層少なく、さらに、この末端部分が衣料装着者に違和感を与えることもない。
【００１５】
さらに、カップの前方に端部キャップの幅広の表面が向けられた状態で前記筒状挿入部にカップワイヤーが入れ込まれていることから、衣料装着者の身体に端部キャップが違和感を与えるといった事態をほとんど生じさせることがない。
【発明の効果】
【００１６】
この発明にかかる端部キャップにあっては、カップを備えた衣料に対しカップワイヤーを備えさせるにあたり、端部キャップがそれを邪魔することがなく、しかも、こうした衣料装着者に対して端部キャップが格別の違和感を感じさせることがない。
【００１７】
また、この発明にかかるカップを備えた衣料にあっては、カップワイヤーを備え付けやすく、かつ、備え付けられたカップワイヤーが衣料装着者に対して格別の違和感を感じさせることがない。
【発明を実施するための最良の形態】
【００１８】
以下、図１ないし図７に基づいて、この発明を実施するための最良の形態について説明する。
【００１９】
なお、ここで図１は、実施の形態にかかる端部キャップ１をその幅広の表面１２側から見た状態として示しており、また、図２は、断面の状態として示している。また、図３は、図１における右側から見て示している。また、図４は、かかる端部キャップ１をカップワイヤー２のワイヤー端部２０にはめ付けた状態を断面にして示しており、同図においてははめ付け前の端部キャップ１の輪郭を想像線で表している。また、図５は、かかる端部キャップ１をカップワイヤー２の両ワイヤー端部２０、２０にそれぞれはめ付けた状態を示しており、また、図６は、かかるカップワイヤー２が備え付けられるブラジャー３０の要部を断面にして示している。また、図７は、かかるカップワイヤー２を備えて構成されたブラジャー３０の要部を斜視の状態として示している。
【００２０】
この実施の形態にかかる端部キャップ１は、ブラジャー３０などのカップ３１を備えた衣料３におけるカップワイヤー２のワイヤー端部２０にはめ付けられて用いられるものである。
【００２１】
また、この実施の形態にかかるカップ３１を備えた衣料３は、前記端部キャップ１をワイヤー端部２０にはめ付けられたカップワイヤー２を備えて構成されるものである。
【００２２】
（端部キャップ１）
かかる端部キャップ１は、可撓性を備えている。かかる端部キャップ１への可撓性の付与は、かかる端部キャップ１をゴムや軟質のプラスチック材料によって構成することで確保することができる。
【００２３】
かかる端部キャップ１は、一端を解放させた細長いスリーブ部分１０と、このスリーブ部分１０の他端から先に突き出す中実の末端部分１１とを有している。
【００２４】
また、幅広の表面１２と幅広の裏面１３とを有する幅方向に沿った断面形状を扁平形状とするように構成されている。
【００２５】
すなわち、かかる端部キャップ１は、全体として細長く、また、幅と厚さとを持つように構成されている。図示の例にあっては、かかる端部キャップ１は、その幅方向に沿った断面外郭形状を、その長さ方向に沿ったいずれの位置においても、略小判型の形状とするように構成されている。そして、前記幅広の表面１２と幅広の裏面１３とこの両面１２、１３間に厚さとなる側面１４を有している。側面１４は、湾曲外側を外方に向けた弧状の面として構成されている。
【００２６】
また、スリーブ部分１０は、解放された一端から、このスリーブ部分１０における表面１２と裏面１３とを離れ出させる向きに弾性変形しながら、ワイヤー端部２０を受け入れこのワイヤー端部２０にはめ付くようになっている。
【００２７】
図示の例では、スリーブ部分１０は、その幅方向に沿った断面内郭形状を、略小判型とするように構成されている。それと共に、対向する幅広の内面１０ａ、１０ａ間の寸法を、このスリーブ部分１０に入れ込み可能な太さを持ったカップワイヤー２のワイヤー端部２０の外径よりも小さくするように構成されている。図示の例にあっては、かかるワイヤー端部２０は楕円形の断面形状を持つように成形されており、このワイヤー端部２０の短軸側を端部キャップ１の厚さ方向ｘに沿わせる向きで、スリーブ部分１０に入れ込まれるようになっている。そして、図示の例では、スリーブ部分１０の対向する幅広の内面１０ａ、１０ａ間の寸法がこのワイヤー端部２０の短軸側の寸法よりも小さくなるようになっている。ワイヤー端部２０は、このスリーブ部分１０の内奥部１０ｂに突き当たる位置まで、前記のようにスリーブ部分１０を弾性変形させながら、入れ込まれるようになっている。
【００２８】
また、図示の例にあっては、かかるスリーブ部分１０における幅広の表面１２側と幅広の裏面１３側とにそれぞれ、二カ所づつ丸穴状を貫通孔１０ｃが形成されている。
【００２９】
一方、末端部分１１は、スリーブ部分１０との連接側から離れるに従ってこの末端部分１１の表面１２と裏面１３とを次第に狭める先細り状に形成されると共に、その先端縁１１ａを弧状縁としている。
【００３０】
また、この末端部分１１の表面１２側と裏面１３側とにはそれぞれ、スリーブ部分１０との連接側から離れるに従って溝幅を次第に狭くする溝状凹所１１ｂが形成されている。
【００３１】
図示の例では、かかる溝状凹所１１ｂは、その凹所底部１１ｃの輪郭形状を細長い略二等辺三角形状とするように構成されている。この溝状凹所１１ｂの凹所底部１１ｃの隅部１１ｄはいずれもアール状をなすように構成されている。また、末端部分１１の表面１２側に形成された溝状凹所１１ｂの凹所底部１１ｃと末端部分１１の裏面１３側に形成された溝状凹所１１ｂの凹所底部１１ｃとはほぼ同寸同形をなし、また、末端部分１１を表面１２側あるいは裏面１３側から見た場合に、いずれも一方の側の溝状凹所１１ｂの裏側において、この一方の溝状凹所１１ｂの凹所底部１１ｃの輪郭線をなぞるようにして他方の溝状凹所１１ｂの凹所底部１１ｃの輪郭線が位置づけられるようになっている。また、かかる溝状凹所１１ｂの凹所底部１１ｃと端部キャップ１の厚さとなる側面１４との間の表面１２および裏面１３は、弧状の面となっているこの側面１４に連続した弧状の面となっており、末端部分１１はエッジ状の部分を持たないように構成されている。
【００３２】
かかる端部キャップ１は、カップ３１の下側隆起基部３２に沿うように湾曲状に成形されたカップワイヤー２の両ワイヤー端部２０、２０にそれぞれ前記のようにはめ付けられて用いられる。そして、カップ３１の下側隆起基部３２に沿うように形成されたカップワイヤー２の筒状挿入部３４にカップワイヤー２共々入れ込まれて用いられる。かかる筒状挿入部３４は、例えば、ブラジャー３０の場合には、ブラジャー３０を構成するカップ下布３３に筒状にした生地３５を止着させることにより構成される。
【００３３】
かかる端部キャップ１は、先ず、そのスリーブ部分１０の解放された一端側からこのスリーブ部分１０にワイヤー端部２０を入れ込ませることにより、このワイヤー端部２０にワンタッチではめ付けることができる。
【００３４】
端部キャップ１は可撓性を有し、かつ、スリーブ部分１０の先に中実の末端部分１１を有することから、衣料装着者にカップワイヤー２のワイヤー端部２０が身体に突き当てられるような感触を与えないようにすることができる。
【００３５】
また、端部キャップ１は、幅広の表面１２と幅広の裏面１３とを有し、末端部分１１はこの末端部分１１に形成された溝状凹所１１ｂによってこの幅広の両面１２、１３のいずれかの側を屈曲内側としては撓み易いが、この幅広の両面１２、１３間にある厚さとなる両側面１４、１４のいずれかの側を屈曲内側としては撓み難い。衣料３に予め形成されたカップワイヤー２の筒状挿入部３４にカップワイヤー２を入れ込ませる場合には、端部キャップ１を先にしてこの挿入がなされることとなるが、端部キャップ１の末端部分１１はこのように撓みやすい方向と撓みがたい方向とをもっていることから、この挿入にあたり末端部分１１が不規則に撓んでこの挿入の妨げとなる事態を生じさせることがない。すなわち、カップ３１の前方に端部キャップ１の幅広の表面１２が向けられた状態で前記筒状挿入部３４にカップワイヤー２を入れ込ませるようにすれば、こうした筒状挿入部３４の上下内壁３６、３６に末端部分１１が変形して突き当たることがなく、この挿入作業を円滑に行うことができる。
【００３６】
また、末端部分１１は先細りとなっており、かつ、その先端縁１１ａは弧状縁となっていることから、この挿入にあたっての前記突き当たりは一層少なく、さらに、この末端部分１１が衣料装着者に違和感を与えることもない。
【００３７】
さらに、カップ３１の前方に端部キャップ１の幅広の表面１２が向けられた状態で前記筒状挿入部３４にカップワイヤー２を入れ込ませるようにしておけば、衣料装着者の身体に端部キャップ１が違和感を与えるといった事態をより効果的に減少させることが可能となる。
【００３８】
（カップ３１を備えた衣料３）
次いで、この実施の形態にかかるカップ３１を備えた衣料３は、以上に説明した端部キャップ１をワイヤー端部２０にはめ付けたカップワイヤー２を、カップ３１の下側隆起基部３２に沿って形成されたカップワイヤー２の筒状挿入部３４に対し、幅広の表面１２をカップ３１の前方に向けた状態で挿通するようにして構成されている。
【００３９】
具体的には、カップワイヤー２は、カップ３１の下側隆起基部３２に沿うように湾曲状に成形され、その両ワイヤー端部２０、２０にそれぞれ端部キャップ１がはめ付けられる。（図５）そして、かかるカップワイヤー２は、カップ３１の下側隆起基部３２に沿うように形成されたカップワイヤー２の筒状挿入部３４に入れ込まれる。かかる筒状挿入部３４は、例えば、ブラジャー３０の場合には、ブラジャー３０を構成するカップ下布３３に筒状にした生地３５を止着させることにより構成される。
【００４０】
かかる衣料３にあっては、前記カップワイヤー２にはめ付けられた端部キャップ１が可撓性を有し、かつ、スリーブ部分１０の先に中実の末端部分１１を有することから、衣料装着者にカップワイヤー２のワイヤー端部２０が身体に突き当てられるような感触を与えない。
【００４１】
また、端部キャップ１は、幅広の表面１２と幅広の裏面１３とを有し、末端部分１１はこの末端部分１１に形成された溝状凹所１１ｂによってこの幅広の両面１２、１３のいずれかの側を屈曲内側としては撓み易いが、この幅広の両面１２、１３間にある厚さとなる両側面１４、１４のいずれかの側を屈曲内側としては撓み難い。衣料３に予め形成されたカップワイヤー２の筒状挿入部３４にカップワイヤー２を入れ込ませる場合には、端部キャップ１を先にしてこの挿入がなされることとなるが、端部キャップ１の末端部分１１はこのように撓みやすい方向と撓みがたい方向とをもっていることから、この挿入にあたり末端部分１１が不規則に撓んでこの挿入の妨げとなる事態を生じさせることがない。すなわち、カップワイヤー２は、カップ３１の前方に端部キャップ１の幅広の表面１２が向けられた状態で前記筒状挿入部３４に入れ込まれることから、こうした筒状挿入部３４の上下内壁３６、３６に末端部分１１が変形して突き当たることがなく、この挿入作業を円滑に行なえる。
【００４２】
また、端部カバーの末端部分１１は先細りとなっており、かつ、その先端縁１１ａは弧状縁となっていることから、この挿入にあたっての前記突き当たりは一層少なく、さらに、この末端部分１１が衣料装着者に違和感を与えることもない。
【００４３】
さらに、カップ３１の前方に端部キャップ１の幅広の表面１２が向けられた状態で前記筒状挿入部３４にカップワイヤー２が入れ込まれていることから、衣料装着者の身体に端部キャップ１が違和感を与えるといった事態をほとんど生じさせることがない。
【図面の簡単な説明】
【００４４】
【図１】端部キャップ１の正面図
【図２】同断面図
【図３】同右側面図
【図４】同使用状態を示す断面図
【図５】カップワイヤー２に端部キャップ１を取り付けた状態を示した正面図
【図６】端部キャップ１を取り付られたカップワイヤー２およびブラジャー３０の要部斜視図
【図７】ブラジャー３０の要部斜視図
【符号の説明】
【００４５】
１  キャップ
１０  スリーブ部分
１１  末端部分
１１ａ  先端縁
１１ｂ  溝状凹所
１２  表面
１３  裏面
２  カップワイヤー
２０  ワイヤー端部
３  衣料
３１  カップ
【図１】
2005240244.tif 000003
【図２】
2005240244.tif 000004
【図３】
2005240244.tif 000005
【図４】
2005240244.tif 000006
【図５】
2005240244.tif 000007
【図６】
2005240244.tif 000008
【図７】
2005240244.tif 000009